(57)【要約】【課題】第二接触部に対する第一接触部の上下方向の変位量を確保できる端子であって、上下方向に小型のコネクタに用いることができる電気接続用端子及びこれを備えるコネクタを提供する。【解決手段】端子４０は、第一接続対象物と導通する第一接触部５０と、第二接続対象物と導通する第二接触部６０と、第一接触部５０から第二接触部６０まで伸長する連結部７０と、を備える。第二接触部６０の端子上端６０Ｕは、第一接触部５０の端子上端６０Ｕよりも端子上方に位置し、連結部７０は、第二接触部６０の端子上端６０Ｕよりも端子上方の空間を経由せずに、第二接触部６０の端子上端６０Ｕにまで伸長している。【選択図】図１２
2020024857.tif 000002
【特許請求の範囲】
【請求項１】
端子上方向に挿入される第一接続対象物に端子水平方向から接触することにより前記第一接続対象物と導通する第一接触部と、
前記第一接触部の端子後方に配置され、端子上方向に挿入される第二接続対象物に端子水平方向から接触することにより第二接続対象物と導通する第二接触部と、
前記第一接触部から前記第二接触部まで伸長することで前記第一接触部と前記第二接触部とを連結し、前記第一接触部が前記第二接触部に対して端子上下方向に相対変位できるように構成された連結部と、
を備える電気接続用端子であって、
前記第二接触部の端子上端は、前記第一接触部の端子上端よりも端子上方に位置し、
前記連結部は、前記第二接触部の端子上端よりも端子上方の空間を経由せずに、前記第二接触部の端子上端まで伸長している、
電気接続用端子。
【請求項２】
端子上方向に挿入される第一接続対象物に端子水平方向から接触することにより前記第一接続対象物と導通する第一接触部と、
前記第一接触部の端子後方に配置され、端子上方向に挿入される第二接続対象物に端子水平方向から接触することにより第二接続対象物と導通する第二接触部と、
前記第一接触部から前記第二接触部まで伸長することで前記第一接触部と前記第二接触部とを連結し、前記第一接触部が前記第二接触部に対して端子上下方向に相対変位できるように構成された連結部と、
を備える電気接続用端子であって、
前記第二接触部の端子上端は、前記第一接触部の端子上端よりも端子上方に位置し、
前記連結部の前記第二接触部側の端部は、板厚方向に屈曲されると共に前記第二接触部の端子上端に繋がる屈曲部であり、
前記連結部は、前記屈曲部よりも端子上方の空間を経由しない、
電気接続用端子。
【請求項３】
前記第一接触部は、前壁、一対の側壁及び後壁で構成されることで端子上下方向に直交する断面形状が矩形の第一筒部を含み、
前記連結部は、前記第一筒部の前記前壁が端子上方に延長されることで形成されている、
請求項１又は請求項２に記載の電気接続用端子。
【請求項４】
前記第二接触部は、前壁、一対の側壁及び後壁で構成されることで端子上下方向に直交する断面形状が矩形の第二筒部を含み、
前記連結部は、前記第二筒部の前記前壁又は前記後壁の端子上端に繋がっている、
請求項１〜請求項３の何れか一項に記載の電気接続用端子。
【請求項５】
前記第一接触部は、前壁、一対の側壁及び後壁で構成されることで端子上下方向に直交する断面形状が矩形の第一筒部を含み、
前記第二接触部は、前壁、一対の側壁及び後壁で構成されることで端子上下方向に直交する断面形状が矩形の第二筒部を含み、
前記連結部は、前記第一筒部の前記前壁が端子上方に延長されることで形成され、前記第二筒部の前記前壁又は前記後壁の端子上端に繋がっている、
請求項１又は請求項２に記載の電気接続用端子。
【請求項６】
前記連結部は、
前記第一接触部の端子上端から端子上方に伸長する第一伸長部と、
前記第一伸長部の端子上端から端子後方に伸長して前記第二接触部に繋がる第二伸長部と、
前記第一伸長部と前記第二伸長部との間に形成された屈曲部と、
を含む、
請求項１〜請求項５の何れか一項に記載の電気接続用端子。
【請求項７】
請求項１〜請求項６の何れか一項に記載の電気接続用端子と、
前記電気接続用端子を収容するハウジングと、
を備えるコネクタ。
【発明の詳細な説明】
【技術分野】
【０００１】
本発明は、電気接続用端子及びこれを備えるコネクタに関する。
【背景技術】
【０００２】
特許文献１に開示されている電気接続用端子（メス型端子１０）は、端子上方向に挿入される第一接続対象物（第２オス型端子４）に端子水平方向から接触することにより第一接続対象物と導通する第一接触部（第２メス端子１２）と、第一接触部の端子後方に配置され、端子上方向に挿入される第二接続対象物（第１オス型端子３）に端子水平方向から接触することにより第二接続対象物と導通する第二接触部（第１メス端子１１）と、第一接触部から第二接触部まで伸長することで第一接触部と第二接触部とを連結する連結部（連結バネ２０）と、を備えている。連結部は、第一接触部が第二接触部に対して端子上下方向に相対変位できるように構成されている。
【先行技術文献】
【特許文献】
【０００３】
【特許文献１】特開２０１４−１０９４９号公報
【発明の概要】
【発明が解決しようとする課題】
【０００４】
ところで、上記端子では、第二接触部（第１メス端子１１）に基板固定端子（第１オス型端子３）が接続される。この基板固定端子（第１オス型端子３）は、基板に対してリフロー半田付けされるものであるため、リフローの風を効率よく当てるためには、第二接触部（第１メス端子１１）が基板に対してある程度高い位置に保持されることが必要である。
【０００５】
一方、端子を含むコネクタには、コネクタ全体を上下方向に小型にしたいという課題もある。しかしながら、上記端子では、基板に対してある程度の高さ位置に保持された第二接触部（第１メス端子１１）から更に端子上方に向かって連結部（連結バネ２０）が延びているため、コネクタ全体を上下方向に小型にしにくいという問題がある。
【０００６】
本発明は、上記事情に鑑みて成されたものであり、第二接触部に対する第一接触部の上下方向の変位量を確保できる端子であって、上下方向に小型のリフロー半田付けしやすいコネクタに用いることができる電気接続用端子及びこれを備えるコネクタを提供することを目的とする。
【課題を解決するための手段】
【０００７】
第１の態様に係る電気接続用端子は、端子上方向に挿入される第一接続対象物に端子水平方向から接触することにより前記第一接続対象物と導通する第一接触部と、前記第一接触部の端子後方に配置され、端子上方向に挿入される第二接続対象物に端子水平方向から接触することにより第二接続対象物と導通する第二接触部と、前記第一接触部から前記第二接触部まで伸長することで前記第一接触部と前記第二接触部とを連結し、前記第一接触部が前記第二接触部に対して端子上下方向に相対変位できるように構成された連結部と、を備える電気接続用端子であって、前記第二接触部の端子上端は、前記第一接触部の端子上端よりも端子上方に位置し、前記連結部は、前記第二接触部の端子上端よりも端子上方の空間を経由せずに、前記第二接触部の端子上端まで伸長している、電気接続用端子である。
【０００８】
この態様では、電気接続用端子は、第一接続対象物と導通する第一接触部と、第二接続対象物と導通する第二接触部と、第一接触部から第二接触部まで伸長することで第一接触部と第二接触部とを連結する連結部と、を備える。連結部は、第一接触部が第二接触部に対して端子上下方向に相対変位できるように構成されている。
【０００９】
ここで、第二接触部の端子上端が第一接触部の端子上端よりも端子上方に位置しており、連結部は、第二接触部の端子上端まで伸長している。このため、第一接触部の端子上端よりも端子上方であって第二接触部の端子上端よりも端子下方の空間を利用して連結部の長さを稼ぐことができる。
更に、連結部が、第二接触部の端子上端よりも端子上方の空間を経由しないので、端子全体の上下寸法の拡大を抑制することができる。
【００１０】
以上より、この態様によれば、端子全体の上下寸法の拡大を抑制しつつ、第二接触部に対する第一接触部の変位量を大きく確保できる。その結果、この態様に係る端子は、上下方向に小型のリフロー半田付けしやすいコネクタに用いることができる。
【００１１】
第２の態様に係る電気接続用端子は、端子上方向に挿入される第一接続対象物に端子水平方向から接触することにより前記第一接続対象物と導通する第一接触部と、前記第一接触部の端子後方に配置され、端子上方向に挿入される第二接続対象物に端子水平方向から接触することにより第二接続対象物と導通する第二接触部と、前記第一接触部から前記第二接触部まで伸長することで前記第一接触部と前記第二接触部とを連結し、前記第一接触部が前記第二接触部に対して端子上下方向に相対変位できるように構成された連結部と、を備える電気接続用端子であって、前記第二接触部の端子上端は、前記第一接触部の端子上端よりも端子上方に位置し、前記連結部の前記第二接触部側の端部は、板厚方向に屈曲されると共に前記第二接触部の端子上端に繋がる屈曲部であり、前記連結部は、前記屈曲部よりも端子上方の空間を経由しない、電気接続用端子である。
【００１２】
この態様では、電気接続用端子は、第一接続対象物と導通する第一接触部と、第二接続対象物と導通する第二接触部と、第一接触部から第二接触部まで伸長することで第一接触部と第二接触部とを連結する連結部と、を備える。連結部は、第一接触部が第二接触部に対して端子上下方向に相対変位できるように構成されている。
【００１３】
ここで、第二接触部の端子上端が第一接触部の端子上端よりも端子上方に位置しており、連結部は、第二接触部の端子上端まで伸長している。このため、第一接触部の端子上端よりも端子上方であって第二接触部の端子上端よりも端子下方の空間を利用して連結部の長さを稼ぐことができる。
更に、連結部の第二接触部側の端部は、板厚方向に屈曲されると共に第二接触部の端子上端に繋がる屈曲部であり、連結部は、屈曲部よりも端子上方の空間を経由しない。このため、端子全体の上下寸法の拡大を抑制することができる。
【００１４】
以上より、この態様によっても、端子全体の上下寸法の拡大を抑制しつつ、第二接触部に対する第一接触部の変位量を大きく確保できる。その結果、この態様に係る端子でも、上下方向に小型のリフロー半田付けしやすいコネクタに用いることができる。
【００１５】
第３の態様に係る電気接続用端子は、第１又は第２の態様において、前記第一接触部は、前壁、一対の側壁及び後壁で構成されることで端子上下方向に直交する断面形状が矩形の第一筒部を含み、前記連結部は、前記第一筒部の前記前壁が端子上方に延長されることで形成されている。
【００１６】
この態様では、第一接触部が、前壁、一対の側壁及び後壁で構成されることで端子上下方向に直交する断面形状が矩形の第一筒部を含むので、第一接触部の剛性が確保されている。
また、連結部が、第一筒部の前壁が端子上方に延長されることで形成されているので、（例えば、第一伸長部が、第一筒部の後壁が端子上方に延長されることで形成されている態様と比較して、）第一筒部の上方の空間を有効に活用することできる。したがって、端子やコネクタの大型化を抑制しつつ、変位量を確保しやすい。
【００１７】
第４の態様に係る電気接続用端子は、第１〜第３の何れかの態様において、前記第二接触部は、前壁、一対の側壁及び後壁で構成されることで端子上下方向に直交する断面形状が矩形の第二筒部を含み、前記連結部は、前記第二筒部の前記前壁又は前記後壁の端子上端に繋がっている。
【００１８】
この態様では、第二接触部が、前壁、一対の側壁及び後壁で構成されることで端子上下方向に直交する断面形状が矩形の第二筒部を含むので、第二接触部の剛性が確保されている。
また、連結部が、第二筒部の前壁又は後壁の端子上端に繋がっているので、第二伸長部と第二筒部の前壁又は後壁との間に屈曲部が形成されることとなり、（例えば、第二伸長部が、第二筒部の側壁に繋がっている態様と比較して、）変位量を確保しやすい。
【００１９】
第５の態様に係る電気接続用端子は、第１又は第２の態様において、前記第一接触部は、前壁、一対の側壁及び後壁で構成されることで端子上下方向に直交する断面形状が矩形の第一筒部を含み、前記第二接触部は、前壁、一対の側壁及び後壁で構成されることで端子上下方向に直交する断面形状が矩形の第二筒部を含み、前記連結部は、前記第一筒部の前記前壁が端子上方に延長されることで形成され、前記第二筒部の前記前壁又は前記後壁の端子上端に繋がっている。
【００２０】
この態様では、前壁、一対の側壁及び後壁で構成されることで端子上下方向に直交する断面形状が矩形の第一筒部を含むので、第一接触部の剛性が確保されている。また、第二接触部が、前壁、一対の側壁及び後壁で構成されることで端子上下方向に直交する断面形状が矩形の第二筒部を含むので、第二接触部の剛性が確保されている。
また、連結部が、第一筒部の前壁が端子上方に延長されることで形成されているので、（例えば、第一伸長部が、第一筒部の後壁が端子上方に延長されることで形成されている態様と比較して、）第一筒部の上方の空間を有効に活用することできる。したがって、端子やコネクタの大型化を抑制しつつ、変位量を確保しやすい。
更に、連結部が、第二筒部の前壁又は後壁の端子上端に繋がっているので、第二伸長部と第二筒部の前壁又は後壁との間に屈曲部が形成されることとなり、（例えば、第二伸長部が、第二筒部の側壁に繋がっている態様と比較して、）変位量を確保しやすい。
【００２１】
第６の態様に係る電気接続用端子は、第１〜第５の何れかの態様において、前記連結部は、前記第一接触部の端子上端から端子上方に伸長する第一伸長部と、前記第一伸長部の端子上端から端子後方に伸長して前記第二接触部に繋がる第二伸長部と、前記第一伸長部と前記第二伸長部との間に形成された屈曲部と、を含む。
【００２２】
この態様では、連結部が、第一接触部の端子上端から端子上方に伸長する第一伸長部と、第一伸長部の端子上端から端子後方に伸長して前記第二接触部に繋がる第二伸長部と、第一伸長部と第二伸長部との間に形成された屈曲部と、を含む。このため、長さの長い第一伸長部と第二伸長部とが屈曲部により連結されることとなり、大きな変位量を確保できる。
【００２３】
第７の態様に係るコネクタは、第１〜第６の何れかの態様に係る電気接続用端子と、前記電気接続用端子を収容するハウジングと、を備えるコネクタである。
【発明の効果】
【００２４】
以上説明したように、本発明は、第二接触部に対する第一接触部の上下方向の変位量を確保できる端子であって、上下方向に小型のリフロー半田付けしやすいコネクタに用いることができるという優れた効果を有する。
【図面の簡単な説明】
【００２５】
【図１】実施形態に係る本体側部材の分解斜視図である。
【図２】図１の状態からハウジング本体に端子を収容した図である。
【図３】実施形態に係る本体側部材と基板側部材の斜視図である。
【図４】コネクタの斜視図である。
【図５】図４の断面図である。
【図６】コネクタの側断面図である。
【図７】図６とは別の断面位置での側断面図である。
【図８】端子の断面斜視図である。
【図９】端子の斜視図である。
【図１０】端子の別の方向からの斜視図である。
【図１１】端子の側面図である。
【図１２】端子の側断面図である。
【図１３】本体側部材において、ハウジング本体と３つの端子を省略した状態を、下方から見た斜視図である。
【図１４】本体側部材において、カバーと３つの端子を省略した状態を、上方から見た斜視図である。
【発明を実施するための形態】
【００２６】
以下、本発明の実施形態に係るコネクタ１０について説明する。
【００２７】
各図に示す矢印Ｘは、端子前方向及びコネクタ前方向を示し、矢印Ｙは、端子幅方向及びコネクタ幅方向を示し、矢印Ｚは、端子上方向及びコネクタ上方向を示す。また、端子上下方向に直交する方向を端子水平方向という。以下、単に前方向、幅方向、上方向などということがある。なお、これら方向を示す語は説明の便宜上定義したものであり、端子やコネクタが使用される状態での姿勢を限定するものではない。
【００２８】
図３に示すように、コネクタ１０は、基板側部材１４と、本体側部材１２と、を備える。
【００２９】
図１に示すように、本体側部材１２は、ハウジング本体２０、複数の端子４０（「電気接続用端子」）及びカバー３０を備える。まず、複数の端子４０がハウジング本体２０に収容され（図２参照）、その後、カバー３０がハウジング本体２０に取り付けられることで、本体側部材１２が組立てられる（図３参照）。ハウジング本体２０及びカバー３０が本発明の「ハウジング」に相当する。
【００３０】
図３に示すように、基板側部材１４は、例えば合成樹脂製の基部１６と、基部１６に保持された複数の基板固定端子１８と、を備える。
【００３１】
まず、基板側部材１４が基板に固定され（図３参照）、次に、基板に固定された基板側部材１４に本体側部材１２が取り付けられることでコネクタ１０が基板に実装される（図４参照）。
【００３２】
＜端子＞
図１等に示すように、複数（本実施形態では５つ）の端子４０は、互いに同一の形状とされている。図８〜図１２等に示すように、端子４０は、第一接触部５０と、第二接触部６０と、第一接触部５０から第二接触部６０まで伸長することで第一接触部５０と第二接触部６０とを連結する連結部７０と、を備える。
【００３３】
第一接触部５０は、上方向に挿入される「第一接続対象物」としての相手側端子９２（図６参照）と接触して導通する部分である。第二接触部６０は、上方向に挿入される「第二接続対象物」としての基板固定端子１８と接触して導通する部分である。基板固定端子１８は、基板（図示省略）に半田付けなどされて導通するので、端子４０を介して、基板と相手側端子９２とが導通する。なお、相手側端子９２は、基板に形成された貫通孔などを介して基板の下方側から上方へ向けて挿入される。
【００３４】
連結部７０は、弾性変形容易に形成されている。これにより、連結部７０は、第一接触部５０が第二接触部６０に対して上下方向（挿抜方向）に変位できるように構成されている。
【００３５】
第一接触部５０は、前壁５１Ｆ、一対の側壁５１Ｓ及び後壁５１Ｒにより構成された第一筒部５１を有する。第一筒部５１は、上下方向に直交する断面形状が矩形とされている。
第二接触部６０は、前壁６１Ｆ、一対の側壁６１Ｓ及び後壁６１Ｒにより構成された第二筒部６１を有する。第二筒部６１は、上下方向に直交する断面形状が矩形とされている。
【００３６】
図１２に示すように、第一接触部５０は、相手側端子９２に対して前後方向から接触することで導通接続する。相手側端子９２は、第一接触部５０の屈曲した接触片５２と、第一接触部５０の後壁５１Ｒとの間に挟持され、これにより、第一接触部５０が相手側端子９２に固定される。第一接触部５０の接触片５２は、上下一対形成されている。上側の接触片５２は、第一接触部５０の前壁５１Ｆの上部から下方に向けて伸長しており、下側の接触片５２は、第一接触部５０の前壁５１Ｆの下部から上方に向けて伸長している。また、第一接触部５０の後壁５１Ｒには、第一接触部５０の内部に突出するビード５１Ｒ１が形成されている。ビード５１Ｒ１は上下方向に延びている。ビード５１Ｒ１の下端は、下側の接触片５２の接点よりも下側に位置し、ビード５１Ｒ１の上端は、上側の接触片５２の接点よりも上側に位置している。
【００３７】
第二接触部６０は、基板固定端子１８に対して前後方向から接触することで導通する。基板固定端子１８は、第二接触部６０の屈曲した接触片６２と、第二接触部６０の前壁６１Ｆとの間に挟持され、これにより、第二接触部６０が基板固定端子１８に固定される。第二接触部６０の接触片６２は、上下一対形成されている。上側の接触片６２は、第二接触部６０の後壁６１Ｒの上部から下方に向けて伸長しており、下側の接触片６２は、第二接触部６０の後壁６１Ｒの下部から上方に向けて伸長している。また、第二接触部６０の前壁６１Ｆには、第二接触部６０の内部に突出するビード６１Ｆ１が形成されている。ビード６１Ｆ１は上下方向に延びている。ビード６１Ｆ１の下端は、下側の接触片６２の接点よりも下側に位置し、ビード６１Ｆ１の上端は、上側の接触片６２の接点よりも上側に位置している。
【００３８】
連結部７０は、第一接触部５０の上端５０Ｕよりも上方であって第二接触部６０の上端６０Ｕよりも下方の空間を伸長している。
具体的には、第二接触部６０の上端６０Ｕは、第一接触部５０の上端５０Ｕよりも上方に位置している。そして、連結部７０は、第一接触部５０の上端５０Ｕを始点７０ａとして伸長し、第二接触部６０の上端６０Ｕを終点７０ｂとしている。
【００３９】
連結部７０は、第一伸長部７１及び第二伸長部７２を伸長方向でこの順に有する。
【００４０】
図１２に示すように、端子側面視において、第一伸長部７１は上方向に直線状に伸長し、第二伸長部７２は後方向に直線状に伸長している。第一伸長部７１と第二伸長部７２との間には、板厚方向に略直角に屈曲された屈曲部７３が形成されている。連結部７０は、その始点７０ａから終点７０ｂまでに亘って、その板厚方向を端子幅方向に直交する平面内に向けている。
【００４１】
第一伸長部７１は、第一筒部５１の前壁５１Ｆが上方に延長されることで形成されている。第二伸長部７２は、端子側面視において、連結部７０の上端位置を前後方向に直線状に延びている（以下「天延部７２」ともいう。）。
【００４２】
第二伸長部７２は、第二筒部６１の前壁６１Ｆの上端に繋がっている。第二伸長部７２と第二筒部６１の前壁６１Ｆとの間には、板厚方向に略直角に屈曲された屈曲部７４が形成されている。
【００４３】
第二筒部６１の前壁６１Ｆは、第二筒部６１のその他の壁（一対の側壁６１Ｓ及び後壁６１Ｒ）よりも上端の位置が低く形成されている。そして、低く形成された前壁６１Ｆの上端が連結部７０の天延部７２と繋がっている。一対の側壁６１Ｓ及び後壁６１Ｒは、上端の高さが一致している。
但し、その他の壁（一対の側壁６１Ｓ及び後壁６１Ｒ）の上端の位置を低く変更して、前壁６１Ｆの上端の位置と同じ高さに形成してもよい。この場合（変形例）における端子４０は、連結部７０が屈曲部７４（連結部７０の第二接触部６０側の端部７０ｂ（終点）を構成し、板厚方向に屈曲されると共に第二接触部６０の端子上端６０Ｕに繋がる屈曲部７４）よりも端子上方の空間を経由しない構成となる。
【００４４】
＜ハウジング＞
図１４に示すように、ハウジング本体２０は、第一接触部５０を収容する第一収容部２１と、第二接触部６０を収容する第二収容部２２と、を有する。第一収容部２１及び第二収容部２２は、上方に開口されており、ハウジング本体２０の上方から端子４０の第一接触部５０と第二接触部６０を収容することができる。第一収容部２１と第二収容部２２とは、前後隔壁２３によって区画されている。第一接触部５０及び第二接触部６０は、端子４０の数だけ設けられ、複数の第一収容部２１は、幅隔壁２４Ｆにより互いに区画され、複数の第二収容部２２は、幅隔壁２４Ｒにより互いに区画されている。
【００４５】
第一収容部２１の前壁面には、上下方向に延びる拡大溝２６Ｆが形成されている。拡大溝２６Ｆにより第一接触部５０の接触片５２が変形する空間が確保されている（図６参照）。第一収容部２１の前壁面のうち拡大溝２６Ｆ以外の部分は、第一筒部５１の前壁５１Ｆが接触するように構成されている。
第二収容部２２の後壁面には、上下方向に延びる拡大溝２６Ｒが形成されている。拡大溝２６Ｒにより第二接触部６０の接触片６２が変形する空間が確保されている（図６参照）。第二収容部２２の後壁面のうち拡大溝２６Ｒ以外の部分は、第二筒部６１の後壁６１Ｒが接触するように構成されている。
【００４６】
図９及び図１２に示すように、第一接触部５０の下側の接触片５２の基端部５２Ａは、第一筒部５１の外側（前側）に突出している。また、第二接触部６０の下側の接触片６２の基端部６２Ａは、第二筒部６１の外側（後側）に突出している。
【００４７】
図１４に示すように、ハウジング本体２０は、カバー３０を係止する係止部２５を有する。係止部２５は、ハウジング本体２０の左右に一対形成されている。係止部２５は、ハウジング本体２０の左右の側壁から上方へ延びるように形成されている。ハウジング本体２０の係止部２５にカバー３０の被係止部３１が係止されることで、ハウジング本体２０にカバー３０が取り付けられる。ハウジング本体２０にカバー３０が取り付けられた状態において、カバー３０は、ハウジング本体２０に対して上下方向の僅かな範囲で移動可能な状態となる。つまり、カバー３０は、ハウジング本体２０に対して上下方向のガタツキがある状態となる。
【００４８】
＜カバー＞
図１３等に示すように、カバー３０は、端子４０の連結部７０を収容する連結収容部３２を有する。連結収容部３２は、カバー３０の内部に形成された空間であり、カバー３０の天壁３０Ｔと前後左右の側壁３０Ｓに囲まれた空間である。
【００４９】
カバー３０は、第一接触部５０に上側から当接することで第一接触部５０の上方向の移動範囲を規制する規制部３３Ｆを備える。規制部３３Ｆは、第一接触部５０の第一筒部５１（の前壁５１Ｆ）の上端面に当接する。規制部３３Ｆは、連結収容部３２の前壁面に形成された下方向を向く面である。
カバー３０は、第二接触部６０に上側から当接することで第二接触部６０の上方向の移動範囲を規制する規制部３３Ｒを備える。規制部３３Ｒは、第二接触部６０の第二筒部６１（の後壁６１Ｒ）の上端面に当接する。規制部３３Ｒは、連結収容部３２の後壁面に形成された下方向を向く面である。
【００５０】
カバー３０の連結収容部３２の前壁面には、連結収容部３２が前方に拡大された拡大溝３４Ｆが形成されている。拡大溝３４Ｆは、連結部７０の第一伸長部７１の前方に位置する。拡大溝３４Ｆは、上下方向に延びるように形成されている。
【００５１】
換言すると、連結収容部３２の前壁面のうち拡大溝３４Ｆ以外の部分は、拡大溝３４Ｆに対して突出した突出部３５といえる。突出部３５の上部は、突出量が大きな第一突出部３６とされ、突出部３５の下部は、突出量が第一突出部３６よりも小さな第二突出部３７とされている。第一突出部３６と第二突出部３７との境界に形成された段差における下方向を向く面が規制部３３Ｆとされている。
【００５２】
カバー３０の連結収容部３２の後壁面には、連結収容部３２が後方に拡大された拡大溝３４Ｒが形成されている。拡大溝３４Ｒは、第二接触部６０の上部の一部（後部）が収容される。
【００５３】
図６等に示すように、ハウジング本体２０は、端子４０の第一接触部５０を収容するハウジング本体前部２０Ｆと、端子４０の第二接触部６０を収容するハウジング本体後部２０Ｒと、を有する。ハウジング本体後部２０Ｒの下端は、ハウジング本体前部２０Ｆの下端よりも高い位置に形成されている。これにより、ハウジング本体後部２０Ｒの下方には、基板側部材１４が配置されるスペースが形成されている。
【００５４】
図３や図８に示すように、基部１６は、基板固定端子１８の基板接続部１８ａが露出されるように構成されている。具体的には、基板固定端子１８は、Ｌ字状に形成されており、基板に沿って前後方向に延びる基板接続部１８ａと、上下方向に延びる端子接続部１８ｂと、を有する。基部１６は、端子接続部１８ｂのうち上下方向の中間部を保持し、端子接続部１８ｂのうち最下部、及び基板接続部１８ａを露出させる。そして、端子接続部１８ｂの基板接続部１８ａにリフローの熱が当たるようになっている。
【００５５】
＜作用効果＞
次に、本実施形態の作用効果について説明する。
【００５６】
本実施形態では、端子４０は、相手側端子９２と導通する第一接触部５０と、基板固定端子１８の端子接続部１８ｂと導通する第二接触部６０と、第一接触部５０から第二接触部６０まで伸長することで第一接触部５０と第二接触部６０とを連結する連結部７０と、を備える。連結部７０は、第一接触部５０が第二接触部６０に対して端子上下方向に相対変位できるように構成されている。
【００５７】
ここで、第二接触部６０の端子上端６０Ｕが第一接触部５０の端子上端５０Ｕよりも端子上方に位置しており、連結部７０は、第二接触部６０の端子上端６０Ｕにまで伸長している。このため、第一接触部５０の端子上端５０Ｕよりも端子上方であって第二接触部６０の端子上端６０Ｕよりも端子下方の空間を利用して連結部７０の長さを稼ぐことができる。
更に、連結部７０が、第二接触部６０の端子上端６０Ｕよりも端子上方の空間を経由しないので、端子４０全体の上下寸法の拡大を抑制することができる。
以上より、端子４０全体の上下寸法の拡大を抑制しつつ、第二接触部６０に対する第一接触部５０の変位量を大きく確保できる。
【００５８】
また、本実施形態では、第二接触部６０の端子下端６０Ｌは、第一接触部５０の端子下端５０Ｌよりも端子上方に位置している。換言すると、第一接触部５０の端子下端５０Ｌが第二接触部６０の端子下端６０Ｌよりも端子下方の位置まで形成されている。このため、第一接触部５０が基板に近くなり、基板の貫通孔から挿入される相手側端子９２（第一接続対象物）と接続しやすい構造とすることができる。
【００５９】
また、本実施形態では、第一接触部５０が、前壁５１Ｆ、一対の側壁５１Ｓ及び後壁５１Ｒで構成されることで端子上下方向に直交する断面形状が矩形の第一筒部５１を含むので、第一接触部５０の剛性が確保されている。
また、連結部７０が、第一筒部５１の前壁５１Ｆが端子上方に延長されることで形成されているので、（例えば、第一伸長部７１が、第一筒部５１の後壁５１Ｒが端子上方に延長されることで形成されている態様と比較して、）第一筒部５１の上方の空間を有効に活用することできる。したがって、端子４０やコネクタ１０の大型化を抑制しつつ、変位量を確保しやすい。
【００６０】
また、本実施形態では、第二接触部６０が、前壁６１Ｆ、一対の側壁６１Ｓ及び後壁６１Ｒで構成されることで端子上下方向に直交する断面形状が矩形の第二筒部６１を含むので、第二接触部６０の剛性が確保されている。
また、連結部７０が、第二筒部６１の前壁６１Ｆの端子上端に繋がっているので、第二伸長部７２と第二筒部６１の前壁６１Ｆとの間に屈曲部７４が形成されることとなり、（例えば、第二伸長部７２が、第二筒部６１の側壁６１Ｓに繋がっている態様と比較して、）変位量を確保しやすい。
【００６１】
また、本実施形態では、連結部７０が、第一接触部５０の端子上端５０Ｕから端子上方に伸長する第一伸長部７１と、第一伸長部７１の端子上端から端子後方に伸長して第二接触部６０に繋がる第二伸長部７２と、第一伸長部７１と第二伸長部７２との間に形成された屈曲部７３と、を含む。このため、長さの長い第一伸長部７１と第二伸長部７２とが屈曲部７３により連結されることとなり、大きな変位量を確保できる。
【００６２】
また、本実施形態では、連結部７０が、第一筒部５１の前壁５１Ｆよりも端子前方に突出していないので、端子４０全体の前後寸法の拡大が抑制されている。
【００６３】
〔上記実施形態の補足説明〕
なお、上記実施形態では、連結部７０が、第二筒部６１の前壁６１Ｆの端子上端に繋がっている例を説明したが、連結部７０は、第二筒部６１の後壁６１Ｒの端子上端に繋がっていてもよい。
【００６４】
また、上記実施形態と異なり、連結部７０は、第一筒部５１の後壁５１Ｒが上方に延長されることで形成されていてもよい。
【００６５】
また、上記実施形態では、カバー３０の規制部３３Ｆ，３３Ｒが、第一筒部５１や第二筒部６１の上端面に当接することで、第一接触部５０や第二接触部６０の上方向の移動範囲を制限していたが、本発明はこれに限定されない。例えば、第一接触部５０の突出部５９（図９等参照）や第二接触部６０の突出部６９がカバー３０の側壁３０Ｓの下端面に当接することで第一接触部５０や第二接触部６０の上方向の移動範囲が制限されるものとしてもよい。そのためには、例えば、突出部３５の第一突出部３６を省略し、突出部３５の全体を第二突出部３７と同じ突出量とすればよい。また、カバー３０の規制部３３Ｒを省略すればよい。
【符号の説明】
【００６６】
１０   コネクタ
１８   基板固定端子（第二接続対象物）
２０   ハウジング本体（ハウジング）
３０   カバー（ハウジング）
４０   端子（電気接続用端子）
５０   第一接触部
５０Ｌ 端子下端
５０Ｕ 端子上端
５１   第一筒部
５１Ｆ 前壁
５１Ｓ 側壁
５１Ｒ 後壁
６０   第二接触部
６０Ｌ 端子下端
６０Ｕ 端子上端
６１   第二筒部
６１Ｆ 前壁
６１Ｓ 側壁
６１Ｒ 後壁
７０   連結部
７０ａ 始点
７０ｂ 終点（連結部の第二接触部側の端部）
７１   第一伸長部
７２   第二伸長部（天延部）
７３   屈曲部
７４   屈曲部（連結部の第二接触部側の端部を構成する屈曲部）
９２   相手側端子（第一接続対象物）
【図１】
2020024857.tif 000003
【図２】
2020024857.tif 000004
【図３】
2020024857.tif 000005
【図４】
2020024857.tif 000006
【図５】
2020024857.tif 000007
【図６】
2020024857.tif 000008
【図７】
2020024857.tif 000009
【図８】
2020024857.tif 000010
【図９】
2020024857.tif 000011
【図１０】
2020024857.tif 000012
【図１１】
2020024857.tif 000013
【図１２】
2020024857.tif 000014
【図１３】
2020024857.tif 000015
【図１４】
2020024857.tif 000016